(57)【特許請求の範囲】
【請求項１】
布材で形成されたシート状の旗本体（２）と布材で形成された竿挿入部（３）と旗竿（４）とを備え、旗本体（２）は直線状の側縁部（７）と該側縁部（７）に連続する円弧状に湾曲した上縁部（８）とを有し、竿挿入部（３）は、旗本体（２）の側縁部（７）と上縁部（８）とを挟んで布材を筒状に縫いつけて成り、旗本体（２）の側縁部（７）に沿う直線状の直線筒部（１７）と、旗本体（２）の上縁部（８）に沿うように円弧状に湾曲した円弧筒部（１８）とを有し、
前記旗竿（４）は旗本体（２）の側縁部（７）に沿う直棒状の竿本体（１１）と上縁部（８）に沿う円弧状の円弧竿部（１２）とを有し、前記竿挿入部（３）の少なくとも円弧筒部（１８）の先端側は、旗本体（２）よりも伸縮性が大の布材で形成されていることを特徴とするのぼり旗。
【請求項２】
竿挿入部（３）の上側端部が閉じ下側端部に挿入口（２０）が設けられ、前記竿挿入部（３）は円弧筒部（１８）の先端側が基端側よりも伸縮性が大の布材で形成されていることを特徴とする請求項１に記載ののぼり旗。
【請求項３】
前記竿挿入部（３）の円弧筒部（１８）の布材は、伸縮性が小の基端側布材（２３）と伸縮性が大の先端側布材（２４）とが、布材長手方向に対して斜めに傾斜した傾斜縁部（２３ａ，２４ａ）同士を縫いつけて構成されていることを特徴とする請求項２に記載ののぼり旗。
【発明の詳細な説明】
【技術分野】
【０００１】
本発明は、注意を惹きやすいのぼり旗に関するものである。
【背景技術】
【０００２】
のぼり旗には、布材で形成されたシート状の旗本体と布材で形成された竿挿入部と旗竿とを備え、旗本体は直線状の側縁部と該側縁部に連続する円弧状に湾曲した上縁部とを有し、竿挿入部は、布材を旗本体の側縁部と上縁部とを挟んで筒状に縫いつけてなり、旗本体の側縁部に沿う直線状の直線筒部と、旗本体の上縁部に沿うように円弧状に湾曲した円弧筒部とを有したものがある（例えば、特許文献１）。この場合、旗本体の上部が半円形になって目立ちやすいものとなっていた。
【０００３】
この種の従来ののぼり旗では、旗竿は直棒状の竿本体の先端に可撓性芯材を設けてなり、前記竿本体が前記側縁部に沿って直線筒部に挿入配置され、前記可撓性芯材が前記上縁部に沿って円弧筒部に挿入配置されていた（例えば、特許文献１）。
【先行技術文献】
【特許文献】
【０００４】
【特許文献１】実用新案登録第３１３７９７１号公報
【発明の概要】
【発明が解決しようとする課題】
【０００５】
従来では、竿挿入部の内部で撓んだ可撓性芯材がその復元力により旗本体を張るので、旗本体の上部全体から下端部の竿本体側に亘って突っ張られた状態になり、旗本体の風にはためく部分が下部側の竿本体とは反対側の三角形状の部分のみとなり、この点でのぼり旗が目立ち難く注意を惹きにくいものとなっていた。
本発明は上記問題点に鑑み、旗本体の上部が半円形を保持しながら旗本体の風にはためく部分が多くて注意を惹きやすいのぼり旗を提供することを目的としている。
【課題を解決するための手段】
【０００６】
本発明における課題解決のための具体的手段は、次の通りである。
この技術的課題を解決する本発明の技術的手段は、布材で形成されたシート状の旗本体２と布材で形成された竿挿入部３と旗竿４とを備え、旗本体２は直線状の側縁部７と該側縁部７に連続する円弧状に湾曲した上縁部８とを有し、竿挿入部３は、旗本体２の側縁部７と上縁部８とを挟んで布材を筒状に縫いつけて成り、旗本体２の側縁部７に沿う直線状の直線筒部１７と、旗本体２の上縁部８に沿うように円弧状に湾曲した円弧筒部１８とを有し、
前記旗竿４は旗本体２の側縁部７に沿う直棒状の竿本体１１と上縁部８に沿う円弧状の円弧竿部１２とを有し、前記竿挿入部３の少なくとも円弧筒部１８の先端側は、旗本体２よりも伸縮性が大の布材で形成されている点にある。
【０００７】
また、本発明の他の技術的手段は、竿挿入部３の上側端部が閉じ下側端部に挿入口２０が設けられ、前記竿挿入部３は円弧筒部１８の先端側が基端側よりも伸縮性が大の布材で形成されている点にある。
また、本発明の他の技術的手段は、前記竿挿入部３の円弧筒部１８の布材は、伸縮性が小の基端側布材２３と伸縮性が大の先端側布材２４とが、布材長手方向に対して斜めに傾斜した傾斜縁部２３ａ，２４ａ同士を縫いつけて構成されている点にある。
【発明の効果】
【０００８】
本発明によれば、旗本体の上部に円弧の中心から径外方向にテンションが働き、旗本体の上部に皺ができにくくなって、外観上の体裁がよくなると共に、旗本体の上部が半円形に保持されて目立ちやすいくなる。また、従来のように旗本体の上部全体から下端側の竿本体側に亘って突っ張られた状態になるようなことはなくなり、しかも、竿挿入部の少なくとも円弧筒部の先端側は、旗本体よりも伸縮性が大の布材で形成されているので、旗本体の上部も風にはためきやすくなり、このため旗本体の風にはためく部分が多くなり、のぼり旗が目立ちやすく注意をよく惹くものとなる。
【図面の簡単な説明】
【０００９】
【図１】本発明の第１実施形態を示す正面図である。
【図２】同背面図である。
【図３】同右側面図である。
【図４】同図１のＡ−Ａ線断面図である。
【図５】同円弧筒部基端側と円弧筒部先端側との縫い合わせ部分の展開図であり、（ａ）は縫い合わせ前の平面図、（ｂ）は縫い合わせの際の平面図、（ｃ）は縫い合わせ後の平面図である。
【図６】本発明の第２実施形態を示す正面図である。
【図７】同平面図である。
【図８】同背面図である。
【図９】同右側面図である。
【図１０】同左側面図である。
【図１１】同底面図である。
【図１２】同図６のＢ−Ｂ線断面図である。
【図１３】本発明の第３実施形態を示す正面図である。
【図１４】同平面図である。
【図１５】同背面図である。
【図１６】同右側面図である。
【図１７】同左側面図である。
【図１８】同底面図である。
【図１９】同図１３のＣ−Ｃ線断面図である。
【図２０】本発明の第４実施形態を示す正面図である。
【図２１】同平面図である。
【図２２】同背面図である。
【図２３】同右側面図である。
【図２４】同左側面図である。
【図２５】同底面図である。
【図２６】同図２０のＤ−Ｄ線断面図である。
【図２７】本発明の第５実施形態を示す正面図である。
【図２８】同平面図である。
【図２９】同背面図である。
【図３０】同右側面図である。
【図３１】同左側面図である。
【図３２】同底面図である。
【図３３】同図２７のＥ−Ｅ線断面図である。
【発明を実施するための形態】
【００１０】
以下、本発明の実施の形態を図面に基づいて説明する。
図１〜図５は本発明の第１実施形態を示している。図１〜図４において、のぼり旗１は、布材で形成されたシート状の旗本体２と、布材で形成された竿挿入部３と、旗竿４とを備える。
旗本体２は、トロピカル等の一枚の布材により縦長のシート状に形成され、旗本体２の上部は半円形に形成され、旗本体２の下部側の幅方向一端側（後述する竿本体１１とは反対側）は、旗本体２が下方に向けて徐々に小幅になるように上下方向に対して斜めに傾斜したジグザグの鋸歯状に形成されている。旗本体２は幅方向他端側に直線状の側縁部７を有すると共に該側縁部７に連続する円弧状に湾曲した上縁部８とを有している。
【００１１】
旗竿４は合成樹脂等により形成した円筒状の筒棒材により形成され、旗本体２の側縁部７に沿う直棒状の竿本体１１と上縁部８に沿う円弧状の円弧竿部１２とを有し、竿本体１１の下端部は旗立台１４に起立状に保持されている。
なお、旗竿４は竿本体１１と円弧竿部１２とを１本の棒材により構成してもよいし、複数本の棒材を着脱自在に連結して構成するようにしてもよい。
【００１２】
竿挿入部３は、旗本体２の側縁部７と上縁部８とを挟んで布材を図４に示す如く筒状に縫いつけ（縫着Ｓ３）して成り、旗本体２の側縁部７に沿う直線状の直線筒部１７と、旗本体２の上縁部８に沿うように円弧状に湾曲した円弧筒部１８とを有している。竿挿入部３の円弧筒部１８の先端側は、旗本体２よりも伸縮性が大の布材（例えば後述する２ＷＡＹトリコット）で形成されている。竿挿入部３の上側端部が縫着Ｓ１により閉じられ、下側端部に挿入口２０が設けられている。
【００１３】
図５（ａ）に示すように、竿挿入部３の直線筒部１７及び円弧筒部１８の基端側は、トロピカル等の１枚の細長い長方形状の基端側布材２３により形成され、竿挿入部３の円弧筒部１８の先端側は、横方向及び縦方向に伸縮性を有する所謂２ＷＡＹトリコット等の１枚の細長い長方形状の先端側布材２４により形成されていて、先端側布材２４は基端側布材２３よりも伸縮性が大である。従って、竿挿入部３は円弧筒部１８の先端側が円弧筒部１８の基端側及び直線筒部１７よりも伸縮性が大の布材で形成されている。
【００１４】
また、図５に示すように、竿挿入部３全体又は円弧筒部１８全体の布材２１は、円弧筒部１８先端側の伸縮性が大の先端側布材２４と、円弧筒部１８基端側の伸縮性が小の基端側布材２３とを、布材長手方向に対して斜めに傾斜した傾斜縁部２３ａ，２４ａ同士で互いに縫着Ｓ２して構成されている。
即ち、図５（ａ）に示す如く長手方向に対して斜めに傾斜した傾斜縁部２４ａを有する細長い長方形の先端側布材２４と、長手方向に対して斜めに傾斜した傾斜縁部２３ａを有する細長い長方形の基端側布材２３とを別体に形成しておき、図５（ｂ）に示す如く先端側布材２４に対して基端側布材２３を裏返した状態で、傾斜縁部２３ａ，２４ａ同士を互いに重合させて、その傾斜縁部２３ａ，２４ａ同士のやや内側を互いに縫着Ｓ２し、その後、図５（ｃ）に示す先端側布材２４に対して基端側布材２３を縫着Ｓ２の位置で折り返して、竿挿入部３全体又は円弧筒部１８全体の布材２１を細長い長方形に形成したものである。
【００１５】
なお、竿挿入部３の直線筒部１７及び円弧筒部１８の基端側は、複数枚の布材を繋ぎ合わせてなる細長い長方形状の基端側布材により形成するようにしてもよい。
上記実施形態によれば、旗本体２及び竿挿入部３を旗竿４に装着する場合には、竿挿入部３の上側端部が閉じ下側端部に挿入口２０が設けられているので、竿挿入部３の下側端部を竿本体１１の円弧竿部１２の先端から外嵌して行けばよく、この場合、円弧竿部１２及び円弧筒部１８が湾曲しているため、円弧筒部１８の先端側が竿本体１１の円弧竿部１２に外嵌しにくくなるおそれがあるが、竿挿入部３は円弧筒部１８の先端側が基端側よりも伸縮性が大の布材で形成されているので、円弧筒部１８の先端側の伸縮性を利用して、竿挿入部３の円弧筒部１８の先端側も竿本体１１の円弧竿部１２にスムーズに外嵌して行くことができるようになり、竿挿入部３に旗竿４を容易に挿入することができ、旗本体２及び竿挿入部３を旗竿４に簡単に装着することができる。
【００１６】
旗本体２及び竿挿入部３を旗竿４に装着した後は、旗竿４は旗本体２の側縁部７に沿う直棒状の竿本体１１と上縁部８に沿う円弧状の円弧竿部１２とを有し、竿挿入部３の円弧筒部１８の先端側は、旗本体２よりも伸縮性が大の布材で形成されているので、図１に矢印で示すように、旗本体２の上部に円弧の中心から径外方向にテンションが働き、旗本体２の上部に皺ができにくくなって、外観上の体裁がよくなると共に、旗本体２の上部が半円形に保持されて目立ちやすいくなる。また、従来のように旗本体の上部全体から下端側の竿本体側に亘って突っ張られた状態になるようなことはなくなり、しかも、竿挿入部３の円弧筒部１８の先端側は、旗本体２よりも伸縮性が大の布材で形成されているので、旗本体２の上部も風にはためきやすくなり、このため旗本体２の風にはためく部分が多くなり、のぼり旗１が目立ちやすく注意をよく惹くものとなる。
【００１７】
また、竿挿入部３の円弧筒部１８の布材２１は、円弧筒部１８先端側の伸縮性が大の先端側布材２４と、円弧筒部１８基端側の伸縮性が小の基端側布材２３とが、長手方向に対して斜めに傾斜した傾斜縁部２３ａ，２４ａ同士を縫いつけて構成されているので、円弧筒部１８先端側の伸縮性が大の先端側布材２４と、円弧筒部１８基端側の伸縮性が小の基端側布材２３との縫い代が長くなり、長い縫い代で先端側布材２４と基端側布材２３とを確実かつ強固に連結することができる。しかも、先端側布材２４と基端側布材２３との連結部分でその円弧筒部１８基端側から円弧筒部１８先端側に亘って伸縮性が徐々に変化するため、傾斜縁部２３ａ，２４ａ同士を縫いつけた部分で皺が生じにくくなり、この点から竿挿入部３の外観上の体裁がよくなる。
【００１８】
図６〜図１２は第２実施形態を示し、竿挿入部３の直線筒部１７から円弧筒部１８に亘る全体を、旗本体２よりも伸縮性の大の２ＷＡＹトリコット等の布材で形成したものである。その他の点は前記第１実施形態の場合と同様の構成である。
図１３〜図１９は第３実施形態を示し、旗本体２の下部側の竿本体１１とは反対側縁部を、旗本体２が下方に向けて徐々に小幅になるように上下方向に対して斜め傾斜した直線状に形成したものである。その他の点は前記第２実施形態の場合と同様の構成である。
【００１９】
図２０〜図２６は第４実施形態を示し、旗本体２の下部側の竿本体１１とは反対側縁部を、旗本体２が下方に向けて徐々に小幅になるように上下方向に対して斜め傾斜した複数段の円弧状に形成したものである。その他の点は前記第２実施形態の場合と同様の構成である。
図２７〜図３３は第５実施形態を示し、旗本体２の下部側の竿本体１１とは反対側縁部の上側を、旗本体２が下方に向けて徐々に小幅になるように上下方向に対して斜め傾斜した直線状に形成すると共に、前記反対側縁部の下側を旗本体２が下方に向けて徐々に小幅になるように円弧状にしたものである。その他の点は前記第２実施形態の場合と同様の構成である。
【００２０】
なお、前記実施形態では、竿挿入部３の円弧筒部１８の先端側が、旗本体２よりも伸縮性が大の布材で形成され、又は竿挿入部３の直線筒部１７から円弧筒部１８に亘る全体が、旗本体２よりも伸縮性の大の布材で形成されているが、これに代え、竿挿入部３の円弧筒部１８を、旗本体２よりも伸縮性が大の布材（例えば２ＷＡＹトリコット）で形成し、竿挿入部３の直線筒部１７を、旗本体２と同等の伸縮性を有する布材（例えばトロピカル）で形成するようにしてもよいし、また、竿挿入部３の円弧筒部１８から直線筒部１７の中途部までを、旗本体２よりも伸縮性が大の布材（例えば２ＷＡＹトリコット）で形成し、直線筒部１７の中途部から基端側端部までを、旗本体２と同等の伸縮性を有する布材（例えばトロピカル）で形成するようにしてもよく、要するに、竿挿入部３の少なくとも円弧筒部１８の先端側を、旗本体２よりも伸縮性が大の布材で形成していればよい。
【符号の説明】
【００２１】
１      のぼり旗
２      旗本体
３      竿挿入部
４      旗竿
７      側縁部
８      上縁部
１１    竿本体
１２    円弧竿部
１７    直線筒部
１８    円弧筒部
２０    挿入口
２３    基端側布材
２３ａ  傾斜縁部
２４    先端側布材
２４ａ  傾斜縁部
【図１】
0005730142.tif 000002
【図２】
0005730142.tif 000003
【図３】
0005730142.tif 000004
【図４】
0005730142.tif 000005
【図５】
0005730142.tif 000006
【図６】
0005730142.tif 000007
【図７】
0005730142.tif 000008
【図８】
0005730142.tif 000009
【図９】
0005730142.tif 000010
【図１０】
0005730142.tif 000011
【図１１】
0005730142.tif 000012
【図１２】
0005730142.tif 000013
【図１３】
0005730142.tif 000014
【図１４】
0005730142.tif 000015
【図１５】
0005730142.tif 000016
【図１６】
0005730142.tif 000017
【図１７】
0005730142.tif 000018
【図１８】
0005730142.tif 000019
【図１９】
0005730142.tif 000020
【図２０】
0005730142.tif 000021
【図２１】
0005730142.tif 000022
【図２２】
0005730142.tif 000023
【図２３】
0005730142.tif 000024
【図２４】
0005730142.tif 000025
【図２５】
0005730142.tif 000026
【図２６】
0005730142.tif 000027
【図２７】
0005730142.tif 000028
【図２８】
0005730142.tif 000029
【図２９】
0005730142.tif 000030
【図３０】
0005730142.tif 000031
【図３１】
0005730142.tif 000032
【図３２】
0005730142.tif 000033
【図３３】
0005730142.tif 000034